(57)【要約】【課題】操作しやすく取り扱いが容易なカメラを提供する。【解決手段】カメラボディ１２の背面に設けられた液晶モニタ２４は、カメラボディ１２に対して押し込み可能に支持されており、その裏側にはスイッチ４０Ａ〜４０Ｄが配設されている。液晶モニタ２４をカメラボディ１２に向けて押し込むと、押し込んだ位置に対応する位置に配設されたスイッチ４０Ａ〜４０Ｄが、液晶モニタ２４の裏面に押される。【選択図】　　図３
2004117770.tif 000002
【特許請求の範囲】
【請求項１】
カメラボディに液晶モニタを備えたカメラにおいて、
前記液晶モニタは、パネル状に形成されるとともに、前記カメラボディに対して押し込み可能に支持され、該液晶モニタが押し込まれることにより、該液晶モニタの裏側に配設されたスイッチが、該液晶モニタに押圧されることを特徴とするカメラ。
【請求項２】
前記液晶モニタは、各辺及び／又は各コーナー部が個別に押し込み可能に支持され、該液晶モニタの裏側には、各辺又は各コーナー部が押し込まれることにより、個別に押圧されるスイッチが前記各辺及び／又はコーナー部に対応して複数配設されていることを特徴とする請求項１に記載のカメラ。
【請求項３】
前記液晶モニタには、該液晶モニタが押し込まれることによって有効となる前記カメラの機能が表示されることを特徴とする請求項１又は２に記載のカメラ。
【請求項４】
カメラボディに液晶モニタを備えたカメラにおいて、
前記液晶モニタが前記カメラボディに対してスライド可能に支持され、該液晶モニタのスライドに連動して前記カメラの電源スイッチがオン／オフされることを特徴とするカメラ。
【発明の詳細な説明】
【０００１】
【発明の属する技術分野】
本発明はカメラに係り、特にカメラボディに液晶モニタを備えたカメラに関する。
【０００２】
【従来の技術】
近年、デジタルカメラは多機能化しており、本来の静止画撮影機能だけでなく、動画撮影機能や音楽再生機能などを備えたものもある。そして、この多機能化に伴いカメラボディには、複数のスイッチが設けられるようになっている。
【０００３】
しかしながら、カメラボディに複数のスイッチを設けることとすると、そのためのスペースが必要となり、カメラボディが大型化するという欠点がある。また、カメラボディ１２に複数のスイッチが設けられていると、指が不用意にスイッチに触れて、思わぬ誤動作を招くという欠点もある。さらに、カメラボディに複数のスイッチが設けられていると、カメラの操作に慣れていない者にとっては混乱を招きやすいという欠点がある。
【０００４】
そこで、デジタルカメラに設けられる液晶モニタをタッチパネルで構成し、このタッチパネルによる画面タッチでカメラを操作するデジタルカメラが提案されている（たとえば、特許文献１、２）。
【０００５】
【特許文献１】
特開平９−１１６７９２号公報
【０００６】
【特許文献１】
特開平１１−２５２４２７号公報
【０００７】
【発明が解決しようとする課題】
しかしながら、タッチパネルは、表面の強度が弱く、壊れやすいため、取り扱いが不便であるという欠点がある。
【０００８】
本発明は、このような事情に鑑みてなされたもので、操作しやすく取り扱いが容易なカメラを提供することを目的とする。
【０００９】
【課題を解決するための手段】
請求項１に係る発明は、前記目的を達成するために、カメラボディに液晶モニタを備えたカメラにおいて、前記液晶モニタは、パネル状に形成されるとともに、前記カメラボディに対して押し込み可能に支持され、該液晶モニタが押し込まれることにより、該液晶モニタの裏側に配設されたスイッチが、該液晶モニタに押圧されることを特徴とするカメラを提供する。
【００１０】
また、請求項２に係る発明は、前記目的を達成するために、前記液晶モニタは、各辺及び／又は各コーナー部が個別に押し込み可能に支持され、該液晶モニタの裏側には、各辺又は各コーナー部が押し込まれることにより、個別に押圧されるスイッチが前記各辺及び／又はコーナー部に対応して複数配設されていることを特徴とする請求項１に記載のカメラを提供する。
【００１１】
また、請求項３に係る発明は、前記目的を達成するために、前記液晶モニタには、該液晶モニタが押し込まれることによって有効となる前記カメラの機能が表示されることを特徴とする請求項１又は２に記載のカメラを提供する。
【００１２】
また、請求項４に係る発明は、前記目的を達成するために、カメラボディに液晶モニタを備えたカメラにおいて、前記液晶モニタが前記カメラボディに対してスライド可能に支持され、該液晶モニタのスライドに連動して前記カメラの電源スイッチがオン／オフされることを特徴とするカメラを提供する。
【００１３】
本発明によれば、液晶モニタ自体が押圧式のスイッチとして機能する。これにより、カメラボディに設置するスイッチを減らすことができ、カメラボディをコンパクト化することができる。また、カメラボディに設置するスイッチの数が減らせることにより、液晶モニタの設置スペースが広がり、大きな液晶モニタを設置することができるようになる。さらに、液晶モニタにスイッチの機能を表示させることにより、カメラの操作になれていない者にとっても、容易にカメラを操作することができるようになり、操作性が向上する。また、タッチパネルと異なり、通常の液晶モニタを用いて構成することができるので、液晶モニタの表面の強度を確保することができる。
【００１４】
【発明の実施の形態】
以下、添付図面に従って本発明に係るカメラの好ましい実施の形態について詳説する。
【００１５】
図１、図２は、それぞれ本発明に係るカメラの第１の実施形態を示す正面斜視図と背面斜視図である。このカメラ１０は、ＣＣＤを用いて画像をデジタル信号に変換し、記録媒体に記録するデジタルカメラである。
【００１６】
図１に示すように、矩形の箱状に形成されたカメラボディ１２の正面には、撮影レンズ１４、ファインダ窓１６、ストロボ１８等が設けられており、上面にはレリーズボタン２０が設けられている。また、図２に示すように、カメラボディ１２の背面には、ファインダ接眼部２２、液晶モニタ２４、電源ボタン２６、モード切替スイッチ２８、表示ボタン３０及びキャンセルボタン３２等が設けられている。
【００１７】
液晶モニタ２４は、矩形のパネル状に形成されており、カメラボディ１２の背面に形成された開口部３４の内側に嵌め込まれている。この開口部３４の内側には、図４に示すように、内枠３６が形成されており、この内枠３６の内周部に液晶モニタ２４が遊嵌されている。
【００１８】
また、この内枠３６の底部には、図４に示すように、スイッチ基板３８が設けられている。このスイッチ基板３８には、各コーナー部にスイッチ４０Ａ〜４０Ｄが設けられており（図３参照）、このスイッチ４０Ａ〜４０Ｄを囲うようにしてスプリング４２Ａ〜４２Ｄが取り付けられている。液晶モニタ２４は、このスプリング４２Ａ〜４２Ｄ上に支持されており、このスプリング４２Ａ〜４２Ｄの付勢力に抗してカメラボディ１２の内側に押し込み可能に支持されている。
【００１９】
このように、液晶モニタ２４は、カメラボディ１２に対して押し込み可能に支持され、その表面の右上隅を押圧すると、図４（ｂ）に示すように、裏面の右上隅に設けられた接触子４４Ａが、スイッチ基板３８の右上隅に設けられたスイッチ４０Ａを押圧し、右下隅を押圧すると、裏面の右下隅に設けられた接触子４４Ｂが、スイッチ基板３８の右下隅に設けられたスイッチ４０Ｂを押圧する。同様に、表面の左下隅を押圧すると、裏面の左下隅に設けられた接触子４４Ｃが、スイッチ基板３８の右下隅に設けられたスイッチ４０Ｃを押圧し、左上隅を押圧すると、裏面の左上隅に設けられた接触子４４Ｄが、スイッチ基板３８の左上隅に設けられたスイッチ４０Ｄを押圧する。
【００２０】
また、液晶モニタ２４は、その表面の右辺部を押圧すると、裏面の右上隅に設けられた接触子４４Ａと右下隅に設けられ接触子４４Ｂとが、スイッチ基板３８の右上隅に設けられたスイッチ４０Ａと右下隅に設けられたスイッチ４０Ｂとを押圧し、下辺部を押圧すると、裏面の右下隅に設けられた接触子４４Ｂと左下隅に設けられ接触子４４Ｃとが、スイッチ基板３８の右下隅に設けられたスイッチ４０Ｂと左下隅に設けられたスイッチ４０Ｃとを押圧する。また、その表面の左辺部を押圧すると、裏面の左下隅に設けられた接触子４４Ｃと左上隅に設けられ接触子４４Ｄとが、スイッチ基板３８の左下隅に設けられたスイッチ４０Ｃと左上隅に設けられたスイッチ４０Ｄとを押圧し、上辺部を押圧すると、裏面の左上隅に設けられた接触子４４Ｄと右上隅に設けられ接触子４４Ａとが、スイッチ基板３８の左上隅に設けられたスイッチ４０Ｃと右上隅に設けられたスイッチ４０Ａとを押圧する。
【００２１】
さらに、液晶モニタ２４は、図４（ｃ）に示すように、全体（中央）をカメラボディ１２に向けて押し込むと、裏面の四隅に設けられた接触子４４Ａ〜４４Ｄが、スイッチ基板３８上に設けられたすべてのスイッチ４０Ａ〜４０Ｄを押圧する。
【００２２】
図５は、本実施の形態のカメラ１０の内部構成を示したブロック図である。同図において、中央処理装置（ＣＰＵ）８０は、本カメラシステムを統括制御する制御部であり、液晶モニタ２４の裏側に設けられた各スイッチ４０Ａ〜４０Ｄを含む操作部（レリーズボタン２０、電源ボタン２６、モード切替スイッチ２８、表示ボタン３０、キャンセルボタン３２等）からの入力信号に基づいて各回路を制御する。
【００２３】
ここで、液晶モニタ２４の裏側に設けられた各スイッチ４０Ａ〜４０Ｄは、それぞれ液晶モニタ２４の裏面に設けられた接触子４４Ａ〜４４Ｄに押されることにより、ＳＡ　オン信号、ＳＢ　オン信号、ＳＣ　オン信号、ＳＤ　オン信号が発生し、発生した信号は、ＣＰＵ８０に入力される。ＣＰＵ８０は、この入力信号に基づいて、液晶モニタ２４のどの位置が押されたかを検出する。
【００２４】
すなわち、ＣＰＵ８０は、ＳＡ　オン信号が入力されることにより、液晶モニタ２４の右上隅が押されたことを検出し、ＳＢ　オン信号が入力されることにより、液晶モニタ２４の右下隅が押されたことを検出する。同様に、ＳＣ　オン信号が入力されることにより、液晶モニタ２４の左下隅が押されたことを検出し、ＳＤ　オン信号が入力されることにより、液晶モニタ２４の左上隅が押されたことを検出する。
【００２５】
また、ＣＰＵ８０は、ＳＡ　オン信号とＳＢ　オン信号が入力されることにより、液晶モニタ２４の右辺が押されたことを検出し、ＳＢ　オン信号とＳＣ　オン信号が入力されることにより、液晶モニタ２４の下辺が押されたことを検出する。また、ＳＣ　オン信号とＳＤ　オン信号が入力されることにより、液晶モニタ２４の左辺が押されたことを検出し、ＳＤ　オン信号とＳＡ　オン信号が入力されることにより、液晶モニタ２４の上辺が押されたことを検出する。
【００２６】
さらに、ＣＰＵ８０は、ＳＡ　オン信号、ＳＢ　オン信号、ＳＣ　オン信号、ＳＤ　オン信号のすべてが入力されることにより、液晶モニタ２４の全体（中央）が押されたことを検出する。
【００２７】
このように、液晶モニタ２４は、画像再生用のモニタとして機能に加えて、操作ボタンとしての機能を備えており、その押し込み操作により、カメラ１０に対して８方向｛（上、下、左、右）＋（右上、右下、左下、左上）｝の指示と、全体（中央）の押し込みの指示とを与えることができる。
【００２８】
なお、レリーズボタン２０は、いわゆる「半押し」と「全押し」とからなる二段ストロークタイプのボタンで構成されており、「半押し」により「Ｓ１オン信号」が発生し、「全押し」により「Ｓ２オン信号」が発生する。　発生したＳ１オン信号及びＳ２オン信号はＣＰＵ８０に入力され、ＣＰＵ８０は、この信号に基づいて、レリーズボタン２０の半押し操作と全押し操作を検出する。
【００２９】
また、モード切替スイッチ２８は、カメラ１０の動作モードを切り替えるスイッチであり、撮影を行なう「撮影モード」と、撮影された画像を液晶モニタ２４上で再生する「再生モード」とに設定される。ＣＰＵ８０には、このモード切替スイッチ２８の接続状況を示す信号が入力される。
【００３０】
さて、このモード切替スイッチ２８によってカメラ１０のモードを撮影モードに設定し、カメラ１０を被写体に向けると、その被写体の光学像が撮影レンズ１４に入射され、絞り４６を介して固体撮像素子（ＣＣＤ）４８の受光面上に結像される。このＣＣＤ４８の受光面上に結像された被写体の光学像は、ＣＣＤ４８内の各センサによって光の入射光量に応じた量の電荷信号に変換される。
【００３１】
ＣＣＤ４８に蓄積された信号電荷は、タイミングジェネレータ５０から加えられる転送パルスによって信号電荷に応じた電圧信号として順次読み出され、相関二重サンプリング回路／増幅器（ＣＤＳ／ＡＧＣ）５２に加えられる。そして、このＣＤＳ／ＡＧＣ５２によって各画素ごとのＲ、Ｇ、Ｂ信号がサンプリングホールドされるとともに増幅され、Ａ／Ｄ変換器５４に加えられる。Ａ／Ｄ変換器５４は、順次入力されるＲ、Ｇ、Ｂ信号をデジタルのＲ、Ｇ、Ｂ信号に変換して画像入力コントローラ５６に出力する。
【００３２】
画像入力コントローラ５６から入力されたデジタルの画像信号は、信号処理回路５８においてオフセット処理、ホワイトバランス補正及び感度補正を含むゲインコントロール処理、ガンマ補正処理等の所定の信号処理が施されたのちＶＲＡＭ６０に入力される。ＶＲＡＭ６０には、それぞれ１コマ分の画像データを記憶するＡ領域とＢ領域とが含まれており、このＡ領域とＢ領域に１コマ分の画像データが交互に書き換えられる。そして、このＶＲＡＭ６０のＡ領域とＢ領域から交互に画像データが読み出され、ビデオエンコーダ６２でエンコーディングされて液晶モニタ２４に表示される。撮影者は、この液晶モニタ２４に表示された画像をもとに構図等を決定する。
【００３３】
さて、上記の撮影モードにおいて、レリーズボタン２０が半押しされると、ＣＰＵ８０にＳ１オン信号が出力される。ＣＰＵ８０は、このＳ１オン信号を入力することにより、露出制御とフォーカス制御を実施する。この露出制御とフォーカス制御は次のように行なわれる。
【００３４】
まず、ＣＣＤ４８からＡ／Ｄ変換器５４を介して出力される画像データが、画像入力コントローラ５６を介してＡＦ検出回路６４とＡＥ／ＡＷＢ検出回路６６に入力される。
【００３５】
ＡＦ検出回路６４は、入力された画像データに基づいて画像のコントラスト情報をＣＰＵ８０に出力する。一方、ＡＥ／ＡＷＢ検出回路６６は、撮像領域を６４分割（水平方向８・垂直方向８）して得られる各分割領域ごとにＲ、Ｇ、Ｂの画像データをＲ、Ｇ、Ｂごとに積算し、その各分割領域ごとのＲ、Ｇ、Ｂの積算データをＣＰＵ８０に出力する。
【００３６】
ＣＰＵ８０は、ＡＦ検出回路６４から入力されたコントラスト情報に基づいて撮影レンズ１４を制御し、被写体にピントを合わせる。また、ＡＥ／ＡＷＢ検出回路６６から入力された積算データに基づいて被写体の明るさ、すなわち撮影Ｅｖ値を算出し、この撮影Ｅｖ値に基づいて絞り値とシャッタースピードを決定する。
【００３７】
この状態から更にレリーズボタン２０が押し込まれ、レリーズボタン２０が全押しされると、ＣＰＵ８０にＳ２オン信号が出力され、ＣＰＵ８０は、このＳ２オン信号を入力することにより、撮影制御を実行する。
【００３８】
すなわち、決定した絞り値になるように図示しない絞り４６を制御するとともに、決定したシャッタースピードになるようにタイミングジェネレータ５０を介してＣＣＤ４８の電荷蓄積時間を制御し、１コマ分の画像データを取り込む。
【００３９】
ＣＣＤ４８から出力される１コマ分の画像データは、画像入力コントローラ５６を介してメモリ（ＳＤＲＡＭ）　６８に入力され、このメモリ６８に一時記憶されたのち信号処理回路５８に読み出されて所定の信号処理が施される。そして、再びメモリ６８に出力されたのち圧縮伸張処理回路７０に出力され、ＪＰＥＧ等の所定の圧縮処理が施される。圧縮された画像データは、この後、メモリ６８に一時記憶されたのち、メディアコントローラ７２に読み出されて図示しないカードスロットに装填されたメモリカード７４に記録される。
【００４０】
以上のようにしてメモリカード７４に記録された画像データは、カメラ１０のモードを再生モードに設定することでメモリカード７４から読み出され、液晶モニタ２４上に再生表示される。
【００４１】
すなわち、モード切替スイッチ２８によってカメラ１０が再生モードに設定されると、メモリカード７４に記録された画像データが、メディアコントローラ７２を介してメモリカード７４からメモリ６８に読み出される。そして、このメモリ６８から圧縮伸張処理回路７０に出力され、ここで伸張処理が施されたのちメモリ６８を介してビデオエンコーダ６２に出力され、ここでエンコーディングされて液晶モニタ２４上に再生表示される。
【００４２】
ところで、上述したように、本実施の形態のカメラ１０では、液晶モニタ２４がモニタとしてだけでなく操作ボタンとしても機能し、「メニュー／ＯＫボタン」としての機能と、「８方向キー」としての機能が割り当てられている。すなわち、液晶モニタ２４は、全体（中央部）が押されることにより、「メニュー／ＯＫボタン」として機能し、周囲８方向が押されることにより、「８方向キー」として機能する。
【００４３】
ここで、「メニュー／ＯＫボタン」は、液晶モニタ２４にメニュー画面の表示を指示したり、選択内容を確定を指示したり、処理の実行を指示したりするボタンとして機能する。
【００４４】
一方、「８方向キー」は、図６（ａ）に示すように、メニュー画面において、メニュー項目の選択を指示したり、各種設定項目の選択を指示したりするキーとして機能する。また、図６（ｂ）に示すように、右キーと左キーは、それぞれ再生モード時に１コマ送りボタン、１コマ戻しボタンとして機能し、上キーと下キーは、それぞれ再生モード時に再生画像の拡大ボタン、縮小ボタンとして機能する。また、図６（ｃ）に示すように、上キーと下キーは、それぞれ撮影モード時にテレ側ズームボタン、ワイド側ズームボタンとして機能し、右キーと左キーは、それぞれ撮影モード時にマクロボタン、ストロボモード選択ボタンとして機能する。
【００４５】
なお、液晶モニタ２４と別に設けられたキャンセルボタン３２は、メニュー画面において、メニューから選んだ項目の取消（キャンセル）を指示したり、一つ前の操作状態に戻るように指示したりするボタンとして機能する。
【００４６】
また、表示ボタン３０は、撮影モード時において、液晶モニタ２４のオン・オフボタンとして機能する。
【００４７】
このように、本実施の形態のカメラ１０では、液晶モニタ２４が、撮影画像の再生用モニタとしてだけでなく、操作ボタンとしても機能する。これにより、カメラボディ１２に設置するスイッチの数を減らすことができ、誤操作を防止できると同時に、カメラボディ１２をコンパクトにすることができる。
【００４８】
また、カメラボディ１２に設置するスイッチの数が減らせることにより、液晶モニタ２４の設置スペースが広がり、大きな液晶モニタ２４を設置することができるようになる。
【００４９】
また、タッチパネルと異なり、通常の液晶モニタを用いて構成することができるので、液晶モニタ２４の表面の強度を確保することができる。
【００５０】
なお、液晶モニタ２４は、上下左右及び四隅を押すことにより、それぞれ対応する機能が呼び出されるが、この際、液晶モニタ２４を押す位置に応じて呼び出される機能を液晶モニタ２４上に表示させることにより、更に操作性を向上させることができる。
【００５１】
たとえば、図７（ａ）に示すように、再生モードにおいて、液晶モニタ２４の右辺部を押すと、次のコマに進み、左辺部を押すと、前のコマに進み、上辺部を押すと、画像が拡大され、下辺部を押すと、画像が縮小される場合、その旨と押す位置を液晶モニタ２４に表示する。
【００５２】
また、たとえば、同図（ｂ）に示すように、撮影モードにおいて、液晶モニタ２４の上辺部を押すと、テレ側へのズーミングが行なわれ、左辺部を押すと、ワイド側へのズーミングが行なわれ、右辺部を押すと、ストロボモードが変更され、左辺部を押すと、マクロモードがオン／オフされる場合、その旨と押す位置を液晶モニタ２４に表示する。
【００５３】
また、たとえば、同図（ｃ）に示すように、設定画面（ここでは、感度設定）において、液晶モニタ２４のどの部分を押せば、どの機能が有効になるかを表示する。
【００５４】
このように、液晶モニタ２４に「押す位置」と「押すと有効になる機能」を表示することにより、カメラの操作に慣れていない者にとっても、容易にカメラを操作することができるようになり、操作性が向上する。
【００５５】
なお、本実施の形態のカメラ１０では、液晶モニタ２４に対して「メニュー／ＯＫボタン」としての機能と「８方向キー」としての機能を割り当てているが、液晶モニタ２４に割り当てる機能は、これに限定されるものではない。
【００５６】
また、本実施の形態のカメラ１０では、液晶モニタ２４に対して８方向の指示を入力できるように構成しているが、上下左右の４方向の指示を入力できるように構成してもよいし（４方向キーとしての機能）　、上下方向あるいは左右方向の２方向の指示を入力できるように構成してもよい（２方向キーとしての機能）。また、全体の押し込みのみの指示を入力できるように構成してもよい（メニュー／ＯＫボタンとしての機能のみ）。
【００５７】
図８は本発明に係るカメラの第２の実施の形態を示す背面図である。なお、上述した第１の実施の形態のカメラ１０と同じ構成部材には、同じ符号を付して、その説明は省略する。
【００５８】
図８に示すように、本実施の形態のカメラ１００は、液晶モニタ２４が横方向にスライド自在に設けられている。この液晶モニタ２４が、嵌め込まれた内枠（不図示）の内壁面には、電源スイッチ１０２が設けられており、液晶モニタ２４を右方向にスライドさせると、その液晶モニタ２４の右側面に押圧されて、電源が投入される。逆に液晶モニタ２４を左方向にスライドさせると、押圧が解除され、電源がオフにされる。
【００５９】
このように、液晶モニタ２４をスライド自在に設け、電源スイッチと連動させることにより、カメラボディ１２に電源スイッチを設ける必要がなくなる。これにより、携帯時における誤動作を有効に防止することができる。
【００６０】
なお、スライド方向は横方向に限らず上下方向にスライドさせるように構成してもよい。
【００６１】
また、撮影レンズ１４にレンズバリアが設けられている場合は、この電源のオン／オフに連動して、レンズバリアの開閉も行なうようにしてもよい。
【００６２】
また、液晶モニタ２４には、このスライドによる電源のオン／オフ機能に加えて、押し込み操作による操作ボタンの機能を持たせてもよい。
【００６３】
図９は本発明に係るカメラの第３の実施の形態を示す背面図である。なお、上述した第１の実施の形態のカメラ１０と同じ構成部材には、同じ符号を付して、その説明は省略する。
【００６４】
図９に示すように、本実施の形態のカメラ１１０には、再生用の液晶モニタ２４と操作用の液晶モニタ２４Ｂとが別々に設けられている。操作用の液晶モニタ２４Ｂは、上述した第１の実施の形態のカメラ１０の液晶モニタ２４を同様に構成されており、８方向の指示が入力できるように構成されている。
【００６５】
これにより、操作用の液晶モニタ２４Ｂに「押す位置」と「押すと有効になる機能」を表示することができるようになり、カメラの操作に慣れていない者にとっても、容易にカメラを操作することができるようになる。
【００６６】
なお、上述した一連の実施の形態では、本発明をデジタルカメラに適用した例で説明したが、銀塩カメラにも適用することができる。
【００６７】
【発明の効果】
以上説明したように、本発明によれば、液晶モニタ自体が押圧式のスイッチとして機能するので、カメラボディに設置するスイッチを減らすことができ、カメラボディをコンパクト化することができる。また、カメラボディに設置するスイッチの数が減らせることにより、液晶モニタの設置スペースが広がり、大きな液晶モニタを設置することができるようになる。さらに、液晶モニタにスイッチの機能を表示させることにより、カメラの操作になれていない者にとっても、容易にカメラを操作することができるようになり、操作性が向上する。また、タッチパネルと異なり、通常の液晶モニタを用いて構成することができるので、液晶モニタの表面の強度を確保することができる。
【図面の簡単な説明】
【図１】本発明に係るカメラの第１の実施の形態を示す正面斜視図
【図２】本発明に係るカメラの第１の実施の形態を示す背面斜視図
【図３】本発明に係るカメラの第１の実施の形態を示す背面図
【図４】液晶モニタの支持構造を示す断面図
【図５】カメラの内部構成を示すブロック図
【図６】液晶モニタの表示例を示す説明図
【図７】液晶モニタの表示例を示す説明図
【図８】本発明に係るカメラの第２の実施の形態を示す背面図
【図９】本発明に係るカメラの第３の実施の形態を示す背面図
【符号の説明】
１０…カメラ、１２…カメラボディ、１４…撮影レンズ、１６…ファインダ窓、１８…ストロボ、２０…レリーズボタン、２２…ファインダ接眼部、２４…液晶モニタ、２６…電源ボタン、２８…モード切替スイッチ、３０…表示ボタン、３２…キャンセルボタン、３４…開口部、３６…内枠、３８…スイッチ基板、４０Ａ〜４０Ｄ…スイッチ、４２Ａ〜４２Ｄ…スプリング、４４Ａ〜４４Ｄ…接触子、４６…絞り、４８…固体撮像素子（ＣＣＤ）、５０…タイミングジェネレータ、５２…相関二重サンプリング回路／増幅器（ＣＤＳ／ＡＧＣ）、５４…Ａ／Ｄ変換器、５６…画像入力コントローラ、５８…信号処理回路、６０…ＶＲＡＭ、６２…ビデオエンコーダ、６４…ＡＦ検出回路、６６…ＡＥ／ＡＷＢ検出回路、６８…メモリ（ＳＤＲＡＭ）　、７０…圧縮伸張処理回路、７２…メディアコントローラ、７４…メモリカード、８０…ＣＰＵ、１００…カメラ、１０２…電源スイッチ、１１０…カメラ、２４Ａ…再生用の液晶モニタ、２４Ｂ…操作用の液晶モニタ
【図１】
2004117770.tif 000003
【図２】
2004117770.tif 000004
【図３】
2004117770.tif 000005
【図４】
2004117770.tif 000006
【図５】
2004117770.tif 000007
【図６】
2004117770.tif 000008
【図７】
2004117770.tif 000009
【図８】
2004117770.tif 000010
【図９】
2004117770.tif 000011